(57)【要約】【課題】無線信号制限特定領域において通信を実現する通信端末装置、サーバ及び無線通信システムを提供すること。【解決手段】サーバ２００は、制御部２０１、端末制御部２０２、データベース用ＲＡＭ部２０３、信号変換制御部２０４、アドホックＴＸ２０５、アドホックＲＸ２０６、無線ＴＸ２０７及び無線ＲＸ２０８を備え、移動無線端末１１０，１２０は、端末機能制御部１１１、周辺部１１２、アドホックＴＸ１１３、アドホックＲＸ１１４、無線ＴＸ１１５及び無線ＲＸ１１６とを備え、サーバ２００は、端末サーバ間無線接続により無線アドホックネットワークを構築するとともに、基地局３００との間の無線接続の禁止を含む制御信号を移動無線端末１１０，１２０に送信し、サーバ２００から制御信号を受信すると、アドホックネットワーク接続を確立する。【選択図】図２
2008092474.tif 000002
【特許請求の範囲】
【請求項１】
基地局との間で無線通信を行う無線通信手段と、
端末間無線接続により無線アドホックネットワークを構築するアドホックネットワーク手段と、
前記基地局との間の無線接続の禁止を含む制御信号を受信する手段と、
前記制御信号を受信すると、アドホックネットワーク接続を確立する制御手段と
を備えることを特徴とする通信端末装置。
【請求項２】
基地局との間で無線通信を行う無線通信手段と、
端末間無線接続により無線アドホックネットワークを構築するアドホックネットワーク手段と、
前記基地局との間の無線接続の禁止又は接続不能を判定する判定手段と、
前記判定結果に従ってアドホックネットワーク接続を確立する制御手段と
を備えることを特徴とする通信端末装置。
【請求項３】
基地局との間で無線通信を行う無線通信手段と、
端末間無線接続により無線アドホックネットワークを構築するアドホックネットワーク手段と、
前記基地局との間の無線接続の禁止を含む制御信号を端末に送信する制御手段と
を備えることを特徴とするサーバ。
【請求項４】
アドホックネットワーク内端末情報を管理する管理手段を備え、
前記制御手段は、特定の端末のみに前記制御信号を送信することを特徴とする請求項３記載のサーバ。
【請求項５】
基地局と、前記基地局の間で無線通信を行う通信端末装置及びサーバとを備える無線通信システムであって、
前記通信端末装置は、
端末間及び端末サーバ間無線接続により無線アドホックネットワークを構築するアドホックネットワーク手段と、
前記サーバから前記基地局との間の無線接続の禁止を含む制御信号を受信する手段と、
前記制御信号を受信すると、アドホックネットワーク接続を確立する制御手段とを備え、
前記サーバは、
端末サーバ間無線接続により無線アドホックネットワークを構築するアドホックネットワーク手段と、
前記基地局との間の無線接続の禁止を含む制御信号を前記通信端末装置に送信する制御手段と
を備えることを特徴とする無線通信システム。
【請求項６】
前記通信端末装置は、
前記基地局との間の無線接続の禁止又は接続不能を判定する判定手段を備え、
前記制御手段は、前記判定結果に従ってアドホックネットワーク接続を確立することを特徴とする請求項５記載の無線通信システム。
【発明の詳細な説明】
【技術分野】
【０００１】
本発明は、移動無線端末などの通信端末装置、サーバ及び無線通信システムに関し、詳細には、特定地域を形成するサーバ及び無線接続、アドホックネットワーク（ad hoc network）を構築する通信端末装置、通信端末装置における通信・機能制御に関するサーバ及び無線通信システムに関する。
【背景技術】
【０００２】
無線通信技術とインターネットの進展により、必ず基地局を介して、他ユーザと無線通信する必要がなくなり、ユーザ間直接通信可能なアドホックネットワークを初めとする新しい無線通信ネットワークによるどこでも常時無線接続可能な時代になりつつある（例えば、非特許文献１参照）。しかし、携帯電話を初めとする移動無線端末の使用エリアの拡大により、移動無線端末から送信される信号による近傍機器の正常動作への妨害が問題視されてきた。特に、人命に関わる機器への影響が懸念される病院を初めとする特定領域内では、携帯電話を含む移動無線端末の使用制限が設けられている。
【０００３】
上記特定領域において、使用制限を強制的に実施する技術として、特許文献１に記載の通話規制方法がある。この通話規制方法は、領域内に通信禁止信号を送信し、信号を受信した携帯電話は内部に設けた信号解析回路を用い、使用制限を判定し、強制的に自らの送受信を中断し、電源をオフにしている。また、通信禁止信号が発信される特定領域外に入ると、携帯電話の電源を自動的にオンにする制御を行っている。
【特許文献１】特開平１１−２１５５６２号公報
【非特許文献１】吉田  進、“無線技術の将来展望---暮らしの中にとけ込む無線通信技術”、[online]、（電子情報通信学会技術報告, RCS２００４-２３, pp.１２７-１３２, April 2004）[平成18年7月27日探索]URL:http://yoshida.kuee.kyoto-u.ac.jp/publication/2004/yoshida04rcs04.pdf
【発明の開示】
【発明が解決しようとする課題】
【０００４】
しかしながら、このような従来の移動無線端末にあっては、病院・航空機などの特定領域内で無差別に携帯電話の電源をオフにしていることにより、緊急時においても、特定領域内の携帯電話による無線連絡が不可能となり、また、領域外から領域内の携帯電話への連絡が取れない状況となる。
【０００５】
また、特許文献１記載の技術を実現するためには、特定全領域において、使用禁止信号を送信する能力を持つ制限装置となるサーバが必要とされる。さらに、特定領域の拡大や縮小に対応して、使用禁止信号の送信範囲を変化させる必要性に対応していないという問題がある。
【０００６】
ところで、特定領域内においても、移動無線端末からのあらゆる信号の送受信を禁止する必要性がない場合が多い。例えば、医療機器への影響が懸念される病院において、近傍機器に影響しない微弱な電磁波で通信する医療用ＰＨＳによる通話が許可されている。また、携帯電話による通話が制限されるコンサート会場において、メールを含む文字による通信を行うことが可能とされている。したがって、特定領域における異なるシチュエーションに応じて、異なる制限制御を行う必要があると考えられる。異なる場合において、状況に応じる制限、または、特定端末に対する制限が必要と考えられる。
【０００７】
本発明は、かかる点に鑑みてなされたものであり、無線信号制限特定領域において通信を実現する通信端末装置、サーバ及び無線通信システムを提供することを目的とする。
【課題を解決するための手段】
【０００８】
本発明の通信端末装置は、基地局との間で無線通信を行う無線通信手段と、端末間無線接続により無線アドホックネットワークを構築するアドホックネットワーク手段と、前記基地局との間の無線接続の禁止を含む制御信号を受信する手段と、前記制御信号を受信すると、アドホックネットワーク接続を確立する制御手段とを備える構成を採る。
【０００９】
本発明の通信端末装置は、基地局との間で無線通信を行う無線通信手段と、端末間無線接続により無線アドホックネットワークを構築するアドホックネットワーク手段と、前記基地局との間の無線接続の禁止又は接続不能を判定する判定手段と、前記判定結果に従ってアドホックネットワーク接続を確立する制御手段とを備える構成を採る。
【００１０】
本発明のサーバは、基地局との間で無線通信を行う無線通信手段と、端末間無線接続により無線アドホックネットワークを構築するアドホックネットワーク手段と、前記基地局との間の無線接続の禁止を含む制御信号を端末に送信する制御手段とを備える構成を採る。
【００１１】
本発明の無線通信システムは、基地局と、前記基地局の間で無線通信を行う通信端末装置及びサーバとを備える無線通信システムであって、前記通信端末装置は、端末間及び端末サーバ間無線接続により無線アドホックネットワークを構築するアドホックネットワーク手段と、前記サーバから前記基地局との間の無線接続の禁止を含む制御信号を受信する手段と、前記制御信号を受信すると、アドホックネットワーク接続を確立する制御手段とを備え、前記サーバは、端末サーバ間無線接続により無線アドホックネットワークを構築するアドホックネットワーク手段と、前記基地局との間の無線接続の禁止を含む制御信号を前記通信端末装置に送信する制御手段とを備える構成を採る。
【発明の効果】
【００１２】
本発明によれば、自動でアドホックネットワークを形成することができ、ユーザは無線接続が不可能であることを認識することなく常にネットワークへの接続が可能となる。
【００１３】
また、無線接続とアドホックネットワークをユーザが任意に切り替えられるため、ユーザのニーズに応じて無線接続／アドホックネットワークを切り替えることができる。
【発明を実施するための最良の形態】
【００１４】
以下、本発明の実施の形態について、図面を参照して詳細に説明する。
【００１５】
（実施の形態１）
図１は、本発明の実施の形態１に係る無線通信システムの構成を示す図である。本実施の形態は、移動無線端末として携帯電話機に適用した例である。
【００１６】
図１において、無線通信システムは、複数の移動無線端末１１０〜１３０（第１移動無線端末１１０，第２移動無線端末１２０，第３移動無線端末１３０）、特定地域を形成し、移動無線端末１１０，１２０における通信及び機能を制御するサーバ２００、及び基地局３００を備えて構成され、移動無線端末１１０，１２０及びサーバ２００は、アドホックネットワーク（ad hoc network）４００を構成する。図１では、第３移動無線端末１３０は、アドホックネットワーク４００領域外の移動無線端末である。
【００１７】
移動無線端末１１０〜１３０は、無線通信を行う携帯電話機／ＰＨＳ（Personal Handy-Phone System）やＰＤＡ（Personal Digital Assistants）などの無線通信端末であり、第２の通信手段としてアドホックネットワーク接続機能を有する。
【００１８】
アドホックネットワーク４００は、例えばＩＥＥＥ８０２．１１ｘ、Ｂｌｕｅｔｏｏｔｈ（登録商標）、ＵＷＢなどの近距離無線通信を用いながら複数の端末をアクセスポイント（Access Point）の介在なしに相互に接続する。
【００１９】
図２は、無線通信システムを構成するサーバ及び移動無線端末の構成を示すブロック図である。移動無線端末１１０，１２０は、同一構成をとるため第１移動無線端末１１０を代表して示す。
【００２０】
図２において、サーバ２００は、受信信号解析とサーバ基本制御を行うサーバ制御部２０１と、アドホックネットワーク４００内端末制御を行うアドホックネットワーク内端末制御部２０２と、端末情報をサーバ内端末リストに登録して記憶するデータベース用ＲＡＭ部２０３と、基地局３００との無線通信と領域内端末ユーザとのアドホックネットワークを介した通信間で送受信信号変換を行う信号変換制御部２０４と、アドホックネットワーク４００へ信号を送信するアドホックネットワーク信号送信部（以下、アドホックＴＸという）２０５と、アドホックネットワーク４００から信号を受信するアドホックネットワーク信号受信部（以下、アドホックＲＸという）２０６と、基地局３００へ信号を送信する基地局無線信号送信部（以下、無線ＴＸという）２０７と、基地局３００から信号を受信する基地局無線信号受信部（以下、無線ＲＸという）２０８とを備えて構成される。
【００２１】
制御部２０１は、アドホックネットワーク４００が構築されている領域において、領域内端末ユーザ情報を管理する。また、制御部２０１は、受信された信号の解析を行い、受信信号が通信信号と判断された場合、必要に応じて信号変換制御部２０４による信号変換を指示する。また、受信信号が端末登録要求、端末削除要求及び通信要求を含む要求信号と判断された場合、サーバ内端末リストの管理を行う。
【００２２】
具体的には、端末登録要求信号を受信された時において、領域内端末の照合を行い、受信端末情報がサーバ内端末リストに未登録であった場合、サーバ内端末リストに追加する。また、領域内端末から領域外への通信要求信号を受信された時、又は、アドホックネットワーク領域外基地局から領域内端末への通信要求信号を受信された時において、領域内の端末の存在を確認し、サーバ２００を介する基地局３００と端末間の通信を許可する。また、端末削除要求信号を受信された時、削除要求端末の照合を行う。さらに、サーバ内端末リストに登録済みである端末について、規定期間において再び同じ端末における端末登録要求信号を未確認であれば、必要に応じてサーバ内端末リストにおける端末情報の削除を行う。詳細な制御については、図８のフローにより後述する。
【００２３】
端末制御部２０２は、制御部２０１により通信要求が許可された場合、端末とサーバ間の通信接続を指示する。また、さらに、アドホックネットワーク領域内登録済みの全端末、又は特別な端末に対して機能制限を行う際に、強制的又は選択的な制限制御信号を作成し、送信を指示する。
【００２４】
信号変換制御部２０４は、アドホックネットワーク領域内の無線通信信号と領域外基地局との無線通信信号との間の信号変換、また、必要に応じて、プロトコル変換を可能にする。サーバと領域内無線端末装置両方に信号変換制御手段を有することが好ましい。
【００２５】
一方、第１移動無線端末１１０は、アドホックネットワーク通信と端末内機能制御を含む端末機能制御全般を行う端末機能制御部１１１と、表示部／カメラや録音などの機能ブロック群を含む端末の周辺部１１２と、アドホックネットワーク４００へ信号を送信するアドホックネットワーク信号送信部（以下、アドホックＴＸという）１１３と、アドホックネットワーク４００から信号を受信するアドホックネットワーク信号受信部（以下、アドホックＲＸという）１１４と、基地局３００へ信号を送信する基地局無線信号送信部（以下、無線ＴＸという）１１５と、基地局３００から信号を受信する基地局無線信号受信部（以下、無線ＲＸという）１１６とを備えて構成される。
【００２６】
端末機能制御部１１１は、基地局３００との無線通信とサーバ２００や領域内他ユーザのアドホックネットワーク４００を介した通信を選択的に切り替える<通信接続選択制御>、受信信号を解析してアドホックネットワーク４００の端末間及び端末サーバ間の通信確立を行う<通信確立制御>、及び解析された信号に従い端末内機能制御を行う<端末機能制御>を実行する。
【００２７】
<通信接続選択制御>は、アドホックネットワーク領域内において、強制通信接続変換が要求される制御信号をサーバ２００から受信した場合、自動的に要求された通信接続の切り替え、また端末ユーザの選択により通信接続の切り替えを行う。
【００２８】
<通信確立制御>は、端末が他端末又はサーバとのアドホックネットワーク接続が確立されたと判断された場合、自動的に端末情報を含む登録要求信号５００（図３参照）を送信する。また、アドホックネットワーク領域外に入り、アドホックネットワーク接続が途絶えた場合、自動的に制限解除を端末に要求する。一方、アドホックネットワーク領域内において、アドホックネットワーク４００を介して接続が確立されていた端末らとの接続が途絶えた場合、該当端末の情報を含んだ接続削除情報６００（図４参照）をサーバ２００に送信する。また、端末を介した他端末とサーバ間の接続が要求されれば、要求に従い、ＨＵＢとして通信を確立させる。
【００２９】
<端末機能制御>は、受信信号を解析し、解析した信号に従った制御を端末に課する。解析結果が通信接続制御信号７００（図５参照）と判断した場合、<通信接続選択制御>により処理を行った後に制御完了信号９００（図７参照）をサーバ２００に送信する。同様に、解析信号がその他の端末機能制御信号８００（図６参照）と判断された場合、要求された機能制御を行った後に制御完了信号９００をサーバ２００に送信する。そして、アドホックネットワーク領域外と判断され、制限解除が要求されれば、端末に課された制限を全て解除する。
【００３０】
上記サーバ２００及び移動無線端末１１０〜１３０によれば、アドホックネットワーク４００が構築されている制限領域内において、サーバ２００により領域内無線端末の使用制御を確実に実行することができる。
【００３１】
図３乃至図７は、アドホックネットワーク４００を介した通信に用いる制御信号の構造を示す図であり、図３は、登録要求信号５００の構造を、図４は、接続削除信号６００の構造を、図５は、通信接続制御信号７００の構造を、図６は、端末機能制御信号８００の構造を、図７は、制御完了信号９００の構造をそれぞれ示す。
【００３２】
図３において、登録要求信号５００は、フラグ５０１、ＩＰアドレス５０２、電話番号５０３、及び移動無線装置機種名５０４から構成される。
【００３３】
フラグ５０１は、登録要求信号であることを示すフラグである。ＩＰアドレス５０２は、アドホックネットワーク時に使用するＩＰアドレスである。電話番号５０３は、移動無線端末の電話番号である。例えば、コンサート会場などでサーバが事前に登録されたユーザであるか等の識別を行ったり、無線接続が禁止されている特定地域において、許可されている移動無線端末への無線接続を可能とするための識別を行う際に用いることも可能である。移動無線装置機種名５０４は、移動無線端末の機種名であり、例えばサーバ２００が端末制御部２０２において、制御信号を作成する際に必要となる情報である。
【００３４】
図４において、接続削除信号６００は、フラグ６０１、自移動無線装置ＩＰアドレス６０２、及び他（切断）移動無線装置ＩＰアドレス６０３から構成される。
【００３５】
接続削除信号は、主に６０１〜６０３で示す内容を想定しているが任意に情報を増減することが可能である。
【００３６】
フラグ６０１は、接続削除信号であることを示すフラグである。自移動無線装置ＩＰアドレス６０２は、自移動無線端末のアドホックネットワーク時に使用するＩＰアドレスである。他（切断）移動無線端末ＩＰアドレス６０３は、切断された他移動無線端末のＩＰアドレスであり、サーバ２００は本情報を受信することで、エリアユーザ情報データベースに登録されている切断された他移動無線端末の情報を削除することが可能となる。
【００３７】
図５において、通信接続制御信号７００は、フラグ７０１、ＩＰアドレス７０２、無線接続切断フラグ７０３、及びアドホックネットワーク切断フラグ７０４から構成される。
【００３８】
フラグ７０１は、通信接続制御信号であることを示すフラグである。ＩＰアドレス７０２は、アドホックネットワーク時に使用するＩＰアドレスである。無線接続切断フラグ７０３は、無線接続を切断するかしないかを示すフラグである。アドホックネットワーク切断フラグ７０４は、アドホックネットワークを切断するかしないかを示すフラグである。
【００３９】
図６において、端末機能制御信号８００は、フラグ８０１、ＩＰアドレス８０２、及び機能制限リスト８０３から構成される。
【００４０】
フラグ８０１は、端末機能制御信号であることを示すフラグである。ＩＰアドレス８０２は、アドホックネットワーク時に使用するＩＰアドレスである。機能制限リスト８０３は、サーバ２００が移動無線端末の機能を制限するため、後述する<通信確立制御>でサーバ２００に送信する登録要求信号５００の移動無線端末機種名を元に制限すべき機能をサーバ２００が選択し、作成する機能制限リストである。
【００４１】
図７において、制御完了信号９００は、フラグ９０１、ＩＰアドレス９０２、及び結果９０３から構成される。
【００４２】
フラグ９０１は、制御完了信号であることを示すフラグである。ＩＰアドレス９０２は、アドホックネットワーク時に使用するＩＰアドレスである。結果９０３は、制御信号で指定した内容が正常に終了したか否かの情報である。
【００４３】
以下、上述のように構成された無線通信システムの動作について説明する。
【００４４】
〔無線通信システムの全体動作〕
本実施の形態は、特定のアドホックネットワーク４００において、サーバ２００を設置することにより、特定のアドホックネットワーク４００領域にある移動通信端末１１０に対して、送受信を含む機能制限を行い、また、サーバ２００を介した通信を実現するものである。
【００４５】
図１に示すように、第１移動無線端末１１０、第２移動無線端末１２０及びサーバ２００は、特定のアドホックネットワーク４００領域内にある。また、第２移動無線端末１２０は、アドホックネットワーク４００を介した通信のみ可能な移動無線端末であるとする。
【００４６】
第１移動無線端末１１０が、アドホックネットワーク４００を検出した時点で、第１移動無線端末１１０の端末機能制御部１１１は、登録要求信号５００（図３参照）を作成し、アドホックＴＸ１１３は、アドホックネットワーク４００を通して直接連接している第２移動無線端末１２０に登録要求信号５００を発信する。
【００４７】
第２移動無線端末１２０は、第１移動無線端末１１０の登録情報信号をアドホックＲＸ１１４により受信し、端末機能制御部１１１が信号分析を行った後、アドホックＴＸ１１３は登録要求信号５００をサーバ２００に発信する。
【００４８】
サーバ２００は、サーバアドホックＲＸ２０６が第２移動無線端末１２０から送信された登録要求信号５００を受信し、サーバ制御部２０１が信号分析を行った後、サーバデータベース用ＲＡＭ部２０３を参照して第１移動無線端末１１０の端末情報登録を判断する。
【００４９】
次に、サーバ２００より第１移動無線端末１１０へ制御を行う場合、まずサーバ２００にあるサーバ端末制御部２０２が制御信号を作成し、サーバアドホックＴＸ２０５が作成した制御信号をアドホックネットワーク４００に発信する。
【００５０】
第２移動無線端末１２０を介して、端末側におけるアドホックＲＸ１１４から制御信号を受け取った第１移動無線端末１１０は、端末機能制御部１１１が信号分析を行い、制御信号に従って端末における周辺部１１２を含む端末全体の制御を行う。
【００５１】
また、第１移動無線端末１１０よりアドホックネットワーク４００を介して、アドホックネットワーク４００領域外にある第３移動無線端末１３０への通信を行う場合、第１移動無線端末１１０の端末機能制御部１１１が、通信要求信号を作成し、アドホックＴＸ１１３が作成した通信要求信号を発信する。
【００５２】
サーバ２００は、第２移動無線端末１２０を介して、サーバアドホックＲＸ２０６が通信要求信号を受信し、サーバ制御部２０１が信号分析を行った後、サーバデータベース用ＲＡＭ部２０３を参照して通信要求端末情報の照合を行う。この照合により通信許可が得られた場合、サーバ無線ＴＸ２０７は通信要求信号を基地局３００に発信する。
【００５３】
以降通信確立後、基地局３００からの通信信号をサーバ無線ＲＸ２０６より受信したサーバ２００は、サーバ制御部２０１が信号分析を行い、必要に応じてサーバ信号変換制御部２０４が通信信号を変換してから、サーバアドホックＴＸ２０５は変換された通信信号を、第２移動無線端末１２０を介して第１移動無線端末１１０に送信する。
【００５４】
一方、アドホックネットワーク４００領域外にある第３移動無線端末１３０が、アドホックネットワーク４００領域内にありアドホックネットワーク４００を介した通信のみ可能な第２移動無線端末１２０と通信したい場合について説明する。この場合、基地局３００からの通信要求信号は、サーバ２００のサーバ無線ＲＸ２０６より受信され、サーバ制御部２０１が受信信号の情報分析を行う。サーバ端末制御部２０２は、サーバデータベース用ＲＡＭ部２０３のデータを参照して、情報分析結果から得た要求端末情報を照合する。照合より通信許可が得られた場合、サーバアドホックＴＸ２０５は、通信要求信号を第２移動無線端末１２０に送信する。
【００５５】
そして、第１移動無線端末１１０がアドホックネットワーク４００領域外へ移動した場合、アドホックネットワーク４００を介して直接連接していた第２移動無線端末１２０は、端末機能制御部１１１が、第１移動無線端末１１０の削除要求信号６００（図４）を作成し、アドホックＴＸ１１３は作成した削除要求信号６００をサーバ２００に発信する。
【００５６】
サーバ２００のサーバアドホックＲＸ２０６は、削除要求信号６００を受信し、サーバ制御部２０１が信号分析を行った後、サーバ端末制御部２０２が、サーバデータベース用ＲＡＭ部２０３を更新して第１移動無線端末１１０の情報削除の判断を行う。
【００５７】
ここで、サーバ２００の制御部２０１は、無線ＲＸ２０８、無線ＴＸ２０７、アドホックＲＸ２０６、アドホックＴＸ２０５についてそれぞれ制御を行い、必要に応じてそれぞれの単位で通信の有効化・無効化を設定する。
【００５８】
また、無線ＲＸ２０８、アドホックＲＸ２０６、もしくはサーバ２００に接続しているＵＩ（user interface）ブロックを通じ、制御部２０１の実行プログラムの変更・書き換え・削除要求、及びサーバ側におけるデータベース用ＲＡＭ部２０３のデータベース変更・書き換え・削除要求を行うことが可能である。
【００５９】
〔サーバ動作〕
図８は、サーバ２００の制御部２０１の処理内容を示すフローチャートである。図中、Ｓはフローの各ステップを示す。
【００６０】
ステップＳ１で制御部２０１はサーバ２００に送られたデータを検出し続ける。サーバ２００宛のデータを検出した場合、ステップＳ２で送られてきた受信データの内容を解析し、ステップＳ３で要求の内容解析を行う。端末からの受信データには、プロトコル・要求データのほかに、要求データに格納された要求内容に対応したデータ、すなわち端末情報データ、音声データ・動画データ・文字データなどのメディアデータ、書き換え用プログラムデータ・データベース情報等の情報を含む。
【００６１】
制御部２０１は受信した要求内容によって、ステップＳ４、ステップＳ６、ステップＳ７、ステップＳ１０、ステップＳ１３、又はステップＳ１４の処理に分岐する。
【００６２】
受信した要求内容が「書き換え要求」である場合、受信データには管理者権限を示す情報、変更内容、変更情報を含む。制御部２０１のプログラムが書き換え対象である場合、ステップＳ１４で対応箇所の変更を行う。また、データベース用ＲＡＭ部２０３の書き換えである場合は、端末制御部２０２に対して変更を依頼する。
【００６３】
以下、図８の破線で囲んだ部分は、書き換え可能な領域で定義される処理であることを示している。
【００６４】
受信した要求内容が、基地局３００との無線通信を必要とする「通話要求」である場合、受信データには、端末の取得したネットワークアドレス又は発信端末情報、音声情報、通話先端末情報を含む。ステップＳ４で信号変換制御部２０４に対してアドホックネットワーク通信プロトコルから無線通信プロトコル、及び無線通信で対応するデータフォーマットに変換を行い、ステップＳ５で無線ＴＸ２０７・無線ＲＸ２０８を使用し通話を実施する。受信した要求内容が通話用の上り音声・下り音声であった場合も上記と同様に、信号変換制御部２０４を経由してそれぞれのネットワークから情報が発信される。
【００６５】
受信した要求内容が基地局３００と無線通信を切断する「通話終了要求」である場合、受信データには、ネットワークアドレス又は発信端末情報、通話先端末情報を含む。ステップＳ６で制御部２０１が無線ＲＸ２０８及び無線ＴＸ２０７を切断する。
【００６６】
受信した要求内容が端末への「情報配信要求」である場合、受信データには発信先条件、配信情報を含む。ステップＳ７で制御部２０１が端末制御部２０２に対してデータの送信対象の問い合わせを行い、ステップＳ８で必要に応じて信号変換制御部２０４でプロトコル及びデータの変換を行い、ステップＳ９で対象端末に対してアドホックＴＸ２０５から配信された情報を送信用データとして発信する。
【００６７】
受信した要求内容が端末の「ユーザ登録要求」である場合、受信データにはネットワークアドレス、端末情報を含む。制御部２０１はステップＳ１０で端末制御部２０２に対して端末の登録を依頼する。エリアによっては、ステップＳ１１で予めデータベース用ＲＡＭ部２０３に登録された許可ユーザであるか否かを、端末制御部２０２に対して照合処理を行い、登録要求された端末・シチュエーションに応じた端末制御信号を作成させ、ステップＳ１２でアドホックＴＸ２０５は作成した端末制御信号を対象端末に対して送信する。
【００６８】
受信した要求内容が「ユーザ削除要求」である場合、受信データには端末に割り振られていたネットワークアドレス情報を含む。ステップＳ１３で制御部２０１は端末制御部２０２に対して端末登録情報の削除を依頼する。但し、入出者管理を記録するエリアなどの場合においては、必ずしもデータベースから全てのデータを削除するものではない。
【００６９】
以上詳細に説明したように、本実施の形態によれば、サーバ２００は、制御部２０１、端末制御部２０２、データベース用ＲＡＭ部２０３、信号変換制御部２０４、アドホックＴＸ２０５、アドホックＲＸ２０６、無線ＴＸ２０７及び無線ＲＸ２０８を備え、移動無線端末１１０，１２０は、端末機能制御部１１１、周辺部１１２、アドホックＴＸ１１３、アドホックＲＸ１１４、無線ＴＸ１１５及び無線ＲＸ１１６とを備え、サーバ２００は、端末サーバ間無線接続により無線アドホックネットワークを構築するとともに、基地局３００との間の無線接続の禁止を含む制御信号を移動無線端末１１０，１２０に送信し、サーバ２００から制御信号を受信すると、アドホックネットワーク接続を確立するので、サーバ２００がユーザ情報を管理し、アドホックネットワーク４００を形成することで、ユーザ毎の制御が可能となる。これにより、従来例では、基地局との間で無線接続が不可能になった場合、無線接続が可能となる場所に移動しなければならなかった。特に、基地局との間で無線接続が不可能になった場合、又は特定領域内で無差別に携帯電話の電源をオフにしていることにより、緊急時においても携帯電話による無線連絡が不可能となり、領域外から領域内の携帯電話への連絡が取れない状況となっていた。これに対して、本実施の形態では、アドホックネットワーク４００を介して通信が可能となり、また、無線接続が禁止される特定地域や各種情報を配信する特定地域で指定したユーザのみ無線接続や情報配信が可能となる。
【００７０】
本実施の形態の効果を、従来例と対比してより詳細に述べる。
【００７１】
（１）従来例では、基地局との間で無線接続が不可能になった場合、無線接続が可能となる場所に移動しなければならなかった。本実施の形態では、自動でアドホックネットワークを形成するためユーザは無線接続が不可能であることを認識することなく常にネットワークへの接続が可能となる。
【００７２】
（２）本実施の形態では、無線接続とアドホックネットワークをユーザが任意に切り替えられるため、ユーザのニーズに応じて無線接続／アドホックネットワークを切り替えることが可能となる。
【００７３】
（３）従来例では、例えば無線接続が禁止される特定地域では、特定地域内のユーザは全て無線接続が不可能であった。本実施の形態では、特定地域内においても指定ユーザは無線接続を行うことが可能となる。
【００７４】
（４）従来例では、例えば各種情報を配信する特定地域では、特定地域内のユーザは全て各種情報を受信していた。本実施の形態では、特定地域内においても指定ユーザのみ、又は指定ユーザ以外のみに各種情報を配信することが可能となる。
【００７５】
（実施の形態２）
実施の形態２では、サーバ２００の動作をさらに詳細に説明する。
【００７６】
本発明の実施の形態２に係る無線通信システムのハード構成は、図２に示した実施の形態１に係る通信端末装置の構成と同様である。
【００７７】
本実施の形態では、前記図２に示すデータベース用ＲＡＭ部２０３は、端末情報を記憶するデータベースに加えて、さらに以下のデータベースを含んでいる。すなわち、データベース用ＲＡＭ部２０３のデータベースは、（１）エリア内においてアドホックネットワークサービスを利用しているエリアユーザ情報、（２）エリア内における端末ごとの制御情報などが登録されているグループユーザ情報を有する。
【００７８】
上記グループユーザ情報は、例えば会社や研究機関のようなセキュリティが必要なエリアに内部の人間を登録しておき、外部侵入者との接続や端末の機能制限を区別することに使われる。また、予めチケットを購入したユーザを登録してあるコンサート会場で、チケット購入者にのみ歌詞情報を配信するようなサービス実施においても利用することが可能である。
【００７９】
上記エリアユーザ情報データベースに登録される情報種別には、端末情報、ネットワークアドレス、無線回線利用状況などが挙げられる。また、グループユーザ情報データベースに登録される情報には、端末情報、端末の機能制限内容などが挙げられる。
【００８０】
図９は、上記データベース用ＲＡＭ部２０３を制御する端末制御部２０２の処理内容を示すフローチャートである。
【００８１】
ステップＳ２１でサーバ２００の制御部２０１が指定した要求内容の判別を行う。制御部２０１が指定した要求内容がエリアユーザの登録である場合、ステップＳ２２で端末制御部２０２は端末情報が既に上記エリアユーザ情報データベースに存在するか否かサーチを行う。
【００８２】
端末情報が存在する場合、ステップＳ２３で端末情報を上記エリアユーザ情報データベースへ登録する。端末情報が存在しない場合、ネットワークアドレスが変更されている可能性があると判断してステップＳ２４で上記エリアユーザ情報データベースにおけるネットワークアドレスを変更する。
【００８３】
ステップＳ２５では、端末制御信号を作成し、ステップＳ２６でサーバの制御部２０１に対して作成した端末制御信号を送信するよう依頼する。この端末制御信号には、端末における着信音のスイッチ情報、端末における無線ＲＸ１１６及び無線ＴＸ１１５のスイッチ情報、通話規制情報、携帯電話の電源本体のスイッチ情報、またそれらが強制操作であるのか推奨操作であるのかといった情報を含む。
【００８４】
上記ステップＳ２１で制御部２０１が指定した要求内容がエリアユーザの削除である場合、ステップＳ２７で端末制御部２０２は一定時間、同端末情報をもったエリアユーザの登録がないか否かを監視する。端末情報をもったエリアユーザの登録があった場合は、ネットワークアドレスの変更を行い終了する。エリアユーザの登録がなかった場合、ステップＳ２８で上記エリアユーザ情報データベースから対象端末の登録情報を削除する。但し、入出ログが必要である場合、必ずしも全てのデータを削除する必要はない。
【００８５】
上記ステップＳ２１で制御部２０１が指定した要求内容がユーザ照合である場合、ステップＳ２９で上記グループユーザ情報データベースからネットワークアドレスデータを引き出し、指定された条件内容のユーザを抽出して本フローを終了する。
【００８６】
上記ステップＳ２１で制御部２０１が指定した要求内容が上記グループユーザ情報データベースの変更である場合、ステップＳ３０で端末制御部２０２は指定されたユーザの登録・削除・修正を行って本フローを終了する。
【００８７】
（実施の形態３）
実施の形態３では、移動無線端末の動作を詳細に説明する。
【００８８】
本発明の実施の形態３に係る無線通信システムのハード構成は、図２に示した実施の形態１の構成と同様である。
【００８９】
本実施の形態では、図２に示す移動無線端末１１０の端末機能制御部１１１は、無線ＲＸ１１６、無線ＴＸ１１５、アドホックＲＸ１１４、アドホックＴＸ１１３、及び周辺部１１２の制御に加えて、基地局３００との無線通信と、サーバ２００や領域内他ユーザのアドホックネットワーク４００を介した通信を自動又は選択的に切り替える<通信接続選択制御>と、アドホックネットワーク４００の移動無線端末間及び移動無線端末とサーバ間の通信確立を実現する<通信確立制御>と、解析された信号に従い端末内機能制御を行う<端末機能制御>とをさらに実行する。
【００９０】
〔通信接続選択制御〕
まず、上記<通信接続選択制御>について説明する。<通信接続選択制御>は、例えば移動無線端末１１０，１２０，１３０において基地局３００との間で無線接続が不可能になった場合に第２の通信手段であるアドホックネットワーク４００の自動構築を選択したり、基地局３００との間で無線接続が可能である場合に、ユーザの切替え動作によってアドホックネットワーク構築を選択することが可能である。
【００９１】
あるいは、強制通信接続変換が要求された場合には無線接続を切断し、強制的にアドホックネットワーク構築を選択することが可能である。
【００９２】
また、基地局３００との間で無線接続が不可能になった場合にアドホックネットワーク４００を自動的に構築するか、ユーザの切り替え動作によって切り替え有無を決定するかを設定するユーザＩ／Ｆを有する。
【００９３】
図１０は、移動無線端末側の端末機能制御部１１１の通信接続選択制御を示すフローチャートである。
【００９４】
まず、ステップＳ３１で強制通信接続変換が要求されたか否かを判別し、強制通信接続変換が要求された場合、ステップＳ３２で<通信確立制御>によりアドホックネットワーク４００を構築する。
【００９５】
上記ステップＳ３１で強制通信接続変換が要求されていない場合、ステップＳ３３で無線接続が不可能か否かを判別する。無線接続が不可能でない場合、ステップＳ３４でアドホックネットワーク４００へ切り替えるか否かを判別する。ユーザＩ／Ｆにより自動的にアドホックネットワーク４００を構築するよう設定してあれば、ステップＳ３８で自動的にアドホックネットワーク４００を構築し、そうでなければユーザＩ／Ｆを介してユーザが選択を行う。
【００９６】
ユーザＩ／Ｆによりアドホックネットワークを構築することが選択された場合、ステップＳ３８でアドホックネットワークを構築し、アドホックネットワーク４００を構築することが選択されなかった場合、ステップＳ３５でアドホックネットワークを構築せず、無線接続を継続する。
【００９７】
一方、上記ステップＳ３３で無線接続が不可能である場合、ステップＳ３６でアドホックネットワーク４００へ切り替えるか否かを判別する。アドホックネットワーク４００を構築することが選択されなかった場合、ステップＳ３７で無線接続及びアドホックネットワーク４００を継続しない。上記ステップＳ３６でアドホックネットワーク４００を構築する場合、ステップＳ３８で通信確立制御によりアドホックネットワーク４００を構築する。
【００９８】
〔通信確立制御〕
次に、上記<通信確立制御>について説明する。<通信確立制御>は、端末機能制御部１１１が以下の３つの制御（１）〜（３）を実現するものである。
【００９９】
制御（１）：基地局３００との間で無線接続及びアドホックネットワーク４００の端末間及び端末サーバ間の通信確立を実現する。
【０１００】
制御（２）：移動無線端末が他移動無線端末又はサーバ２００とのアドホックネットワーク接続が確立されたと判断された場合、自動的に移動無線端末情報を含む登録要求信号５００（図３参照）を送信する。
【０１０１】
制御（３）：アドホックネットワーク領域外に入り、アドホックネットワーク接続が途絶えた場合、自動的に制限解除を移動無線端末に要求する。一方、アドホックネットワーク領域内において、アドホックネットワークを介して接続が確立されていた移動無線端末との接続が途絶えた場合、該当移動無線端末の情報を含んだ接続削除信号６００（図４参照）をサーバ２００に送信する。
【０１０２】
上記制御（１）では、無線ＲＸ１１６及び無線ＴＸ１１５が、信号を送受信して無線接続を、またアドホックＲＸ１１４及びアドホックＴＸ１１３が、信号を送受信してアドホックネットワーク接続を行う。アドホックネットワークは、アドホックＲＸ１１４がサーバ２００又は他移動無線端末からのアドホックネットワーク構築要求を受信し、端末機能制御部１１１はＨＵＢとして通信を確立させる。
【０１０３】
上記制御（２）では、端末機能制御部１１１は、上記制御（１）でアドホックネットワーク接続が確立したことを判断し、アドホックＴＸ１１３が登録要求信号５００（図３参照）をサーバ２００に送信する。
【０１０４】
図１１は、上記制御（２）の登録要求信号５００送信処理のフローチャートである。
【０１０５】
まず、ステップＳ４１でアドホックネットワーク４００が構築されたか否かを判断し、アドホックネットワーク４００が構築された場合、ステップＳ４２で登録要求信号５００（図３参照）を作成する。次いで、ステップＳ４３でアドホックＴＸ１１３が作成した登録要求信号５００をサーバ２００に送信する。上記ステップＳ４１でアドホックネットワーク４００が構築されなかった場合は、そのまま処理を終了し登録要求信号５００の作成及び送信は行わない。
【０１０６】
上記制御（３）では、端末機能制御部１１１は、サーバ２００間のアドホックネットワーク接続が切断されたことを認識すると、アドホックＲＸ１１４を制御して、アドホックＲＸ１１４が制御信号を受信した際に制限した移動無線端末の機能を<端末機能制御>により解除する。
【０１０７】
また、端末機能制御部１１１は、他移動無線端末間のアドホックネットワーク接続が切断されたことを認識すると、アドホックＴＸ１１３を制御して、アドホックＴＸ１１３が切断された他移動無線端末の接続削除信号６００（図４参照）をサーバ２００に送信する。
【０１０８】
〔端末機能制御〕
次に、上記<端末機能制御>について説明する。端末機能制御部１１１は、<端末機能制御>によりアドホックＲＸ１１４が受信する受信信号の解析を行う。この受信信号解析では、信号が通信接続制御信号７００（図５参照）であるか、その他の端末機能制御信号８００（図６参照）であるかを判断し、通信接続制御信号７００であれば、前述した<通信接続選択制御>により処理を行った後にアドホックＴＸ１１３を制御することで、制御完了信号９００（図７参照）をサーバ２００に送信する。
【０１０９】
図１２は、移動無線端末側の端末機能制御部１１１の制御信号受信時の端末機能制御処理を示すフローチャートである。
【０１１０】
まず、ステップＳ５１で制御信号を受信し、ステップＳ５２で受信信号が通信接続制御信号７００（図５参照）であるか、その他の端末機能制御信号３００（図６参照）であるかを解析する。通信接続制御信号７００である場合、ステップＳ５３で上述した「通信接続選択制御」及び「通信確立制御」を用いて無線接続とアドホックネットワーク４００の切り替えを行う。切り替えが終了すると、ステップＳ５４で制御完了信号９００（図７参照）をサーバ２００に送信する。
【０１１１】
上記ステップＳ５２でその他の端末機能制御信号８００（図６参照）である場合、ステップＳ５５で端末機能制御部１１１は端末機能制御信号８００の解析結果から移動無線端末の周辺部１１２、アドホックＴＸ１１３、アドホックＲＸ１１４、無線ＴＸ１１５、及び無線ＲＸ１１６のいずれか、あるいは全ての機能を制限して上記ステップＳ５４に進む。
【０１１２】
図１３は、移動無線端末側の端末機能制御部１１１のアドホックネットワーク切断時の端末機能制御処理を示すフローチャートである。
【０１１３】
まず、ステップＳ６１で端末機能制御部１１１はアドホックＲＸ１１４がサーバ２００間のアドホックネットワーク接続を切断したことを認識すると、ステップＳ６２で上述した<通信確立制御>により制限解除が要求されたか否かを判別し、制限解除を要求された場合、ステップＳ６３で制御信号を受信した際に制限した移動無線端末の機能を解除して本フローを終了する。上記ステップＳ６１でアドホックネットワーク切断でない場合、あるいは上記ステップＳ６２で制限解除を要求されていない場合は、機能制御解除条件にないと判断して本フローを終了する。
【０１１４】
以上の説明は本発明の好適な実施の形態の例証であり、本発明の範囲はこれに限定されることはない。
【０１１５】
また、上記各実施の形態では、移動無線端末として携帯電話機について説明したが、これは一例であってアドホックネットワーク接続を行うものであればどのような装置にも適用可能であり、通信方式の種類・数は限定されない。
【０１１６】
また、上記各実施の形態では、無線通信システム、移動無線端末及びサーバ及びという名称を用いたが、これは説明の便宜上であり、移動端末、無線通信装置、無線通信制御方法等でもよいことは勿論である。
【０１１７】
また、上記無線通信システムを構成する各回路部の種類、数及び接続方法などは前述した実施の形態に限られない。
【０１１８】
また、以上説明した無線通信システムは、この無線通信システムを機能させるためのプログラムでも実現される。このプログラムはコンピュータで読み取り可能な記録媒体に格納されている。
【産業上の利用可能性】
【０１１９】
本発明に係る無線通信装置、サーバ及び無線通信システムは、特定地域を形成するサーバ及び無線接続、アドホックネットワークを構築する無線システムに有効である。
【図面の簡単な説明】
【０１２０】
【図１】本発明の実施の形態１に係る無線通信システムの構成を示す図
【図２】上記実施の形態に係る無線通信システムを構成するサーバ及び移動無線端末の構成を示すブロック図
【図３】上記実施の形態に係る無線通信システムのアドホックネットワークを介した通信に用いる登録要求信号の構造を示す図
【図４】上記実施の形態に係る無線通信システムのアドホックネットワークを介した通信に用いる接続削除信号の構造を示す図
【図５】上記実施の形態に係る無線通信システムのアドホックネットワークを介した通信に用いる通信接続制御信号の構造を示す図
【図６】上記実施の形態に係る無線通信システムのアドホックネットワークを介した通信に用いる端末機能制御信号の構造を示す図
【図７】上記実施の形態に係る無線通信システムのアドホックネットワークを介した通信に用いる制御完了信号の構造を示す図
【図８】上記実施の形態に係る無線通信システムのサーバの制御部の処理内容を示すフロー図
【図９】本発明の実施の形態２に係る無線通信システムのサーバのデータベース用ＲＡＭ部を制御する端末制御部の処理内容を示すフロー図
【図１０】本発明の実施の形態３に係る無線通信システムの移動無線端末側の制御部の通信接続選択制御を示すフロー図
【図１１】上記実施の形態に係る無線通信システムの登録要求信号の送信処理のフロー図
【図１２】上記実施の形態に係る無線通信システムの移動無線端末側の制御部の制御信号受信時の端末機能制御処理を示すフロー図
【図１３】上記実施の形態に係る無線通信システムの移動無線端末側の制御部のアドホックネットワーク切断時の端末機能制御処理を示すフロー図
【符号の説明】
【０１２１】
１１０，１２０，１３０  移動無線端末
１１１  端末機能制御部
１１２  周辺部
１１３，２０５  アドホックネットワーク信号送信部（アドホックＴＸ）
１１４，２０６  アドホックネットワーク信号受信部（アドホックＲＸ）
１１５，２０７  基地局無線信号送信部（無線ＴＸ）
１１６，２０８  基地局無線信号受信部（無線ＲＸ）
２００  サーバ
２０１  制御部
２０２  端末制御部
２０３  データベース用ＲＡＭ部
２０４  信号変換制御部
３００  基地局
４００  アドホックネットワーク
【図１】
2008092474.tif 000003
【図２】
2008092474.tif 000004
【図３】
2008092474.tif 000005
【図４】
2008092474.tif 000006
【図５】
2008092474.tif 000007
【図６】
2008092474.tif 000008
【図７】
2008092474.tif 000009
【図８】
2008092474.tif 000010
【図９】
2008092474.tif 000011
【図１０】
2008092474.tif 000012
【図１１】
2008092474.tif 000013
【図１２】
2008092474.tif 000014
【図１３】
2008092474.tif 000015